(57)【要約】      （修正有）【課題】被検体の年齢を考慮して被曝評価をするのに適した指標値を得ることができる放射線断層撮影装置およびプログラムを提供する。【解決手段】Ｘ線ＣＴ装置は、被検体の年齢を特定する年齢特定部７０と、被検体の撮影部位を特定する撮影部位特定部７０１と、第３のテーブルから前記被検体の年齢および撮影部位の組合せに対応する第３の指標値ＣＴＤＩage，portionを特定する第３の指標値特定部７１１と、第４のテーブルから前記被検体の年齢および撮影部位の組合せに対応する第４の指標値ＤＬＰage，portionを特定する第４の指標値特定部７２１とを有する。【選択図】図７
2019010176.tif 000002
【特許請求の範囲】
【請求項１】
ＣＴＤＩ値を被検体の年齢に応じた値に変換することにより得られる第１の指標値を求める手段を有する放射線断層撮影装置。
【請求項２】
前記第１の指標値を求める手段は、
年齢に対応する前記第１の指標値を表す第１のテーブルに基づいて、前記被検体の年齢に対応する前記第１の指標値を特定する、請求項１に記載の放射線断層撮影装置。
【請求項３】
前記被検体の年齢を特定する年齢特定手段を有し、
前記第１の指標値を求める手段は、前記第１のテーブルから、前記年齢特定手段により特定された前記被検体の年齢に対応する前記第１の指標値を特定する、請求項２に記載の放射線断層撮影装置。
【請求項４】
ＤＬＰ値を被検体の年齢に応じた値に変換することにより得られる第２の指標値を求める手段を有する放射線断層撮影装置。
【請求項５】
前記第２の指標値を求める手段は、
年齢に対応する前記第２の指標値を表す第２のテーブルに基づいて、前記被検体の年齢に対応する前記第２の指標値を特定する、請求項４に記載の放射線断層撮影装置。
【請求項６】
前記被検体の年齢を特定する年齢特定手段を有し、
前記第２の指標値を求める手段は、前記第２のテーブルから、前記年齢特定手段により特定された前記被検体の年齢に対応する前記第２の指標値を特定する、請求項５に記載の放射線断層撮影装置。
【請求項７】
ＣＴＤＩ値を被検体の年齢と前記被検体の撮影部位とに応じた値に変換することにより得られる第３の指標値を求める手段を有する放射線断層撮影装置。
【請求項８】
前記第３の指標値を求める手段は、
年齢と撮影部位との組合せに対応する前記第３の指標値を表す第３のテーブルに基づいて、前記被検体の年齢と撮影部位との組合せに対応する前記第３の指標値を特定する、請求項７に記載の放射線断層撮影装置。
【請求項９】
前記被検体の年齢を特定する年齢特定手段と、
前記被検体の撮影部位を特定する撮影部位特定手段と、
を有し、
前記第３の指標値を求める手段は、前記第３のテーブルから、特定された前記被検体の年齢および撮影部位の組合せに対応する前記第３の指標値を特定する、請求項８に記載の放射線断層撮影装置。
【請求項１０】
ＤＬＰ値を被検体の年齢と前記被検体の撮影部位とに応じた値に変換することにより得られる第４の指標値を求める手段を有する放射線断層撮影装置。
【請求項１１】
前記第４の指標値を求める手段は、
年齢と撮影部位との組合せに対応する前記第４の指標値を表す第４のテーブルに基づいて、前記被検体の年齢と撮影部位との組合せに対応する前記第４の指標値を特定する、請求項１０に記載の放射線断層撮影装置。
【請求項１２】
前記被検体の年齢を特定する年齢特定手段と、
前記被検体の撮影部位を特定する撮影部位特定手段と、
を有し、
前記第４の指標値を求める手段は、前記第４のテーブルから、特定された前記被検体の年齢および撮影部位の組合せに対応する前記第４の指標値を特定する、請求項１１に記載の放射線断層撮影装置。
【請求項１３】
ＣＴＤＩ値を被検体の年齢と前記被検体の撮影部位とに応じた値に変換することにより得られる第３の指標値を求める手段を有し、
前記第４の指標値を求める手段は、
前記第３の指標値を求める手段により特定された前記第３の指標値と、前記被検体の撮影部位の長さとに基づいて、前記第４の指標値を計算する、請求項１０に記載の放射線断層撮影装置。
【請求項１４】
前記第２の指標値と実効線量変換係数とに基づいて実効線量を計算する実効線量計算手段を有する、請求項４〜６のうちのいずれか一項に記載の放射線断層撮影装置。
【請求項１５】
前記第４の指標値と実効線量変換係数とに基づいて実効線量を計算する実効線量計算手段を有する、請求項１０〜１３のうちのいずれか一項に記載の放射線断層撮影装置。
【請求項１６】
コンピュータを、請求項１〜請求項１５のうちのいずれか一項に記載の放射線断層撮影装置の各手段として実行させるためのプログラム。
【発明の詳細な説明】
【技術分野】
【０００１】
本発明は、放射線断層撮影装置、および放射線断層撮影装置に適用されるプログラムに関する。
【背景技術】
【０００２】
Ｘ線ＣＴ（Computed Tomography）装置に代表される放射線断層撮影装置には、単位スライス（slice）厚当たりの被曝線量を表すＣＴＤＩ（ＣＴ dose index）値や、１回の検査全体での被曝線量を表すＤＬＰ(dose length product)値を表示するよう定められている（例えば、特許文献１参照）。これにより、撮影対象の被曝評価が可能になる。
【先行技術文献】
【特許文献】
【０００３】
【特許文献１】特開２０１３−１１１２７１号公報
【発明の概要】
【発明が解決しようとする課題】
【０００４】
被曝線量によるがんのリスクが、年齢によって異なることがわかっている。したがって、年齢を考慮した撮影条件でＣＴ撮影を行うことが、より重要になっている。しかし、ＣＴ検査の線量指標として一般的に用いられているＣＴＤＩおよびＤＬＰは、年齢が考慮されたものとはなっていないので、被検体の年齢に適した被曝線量で撮影をすることはできていない。
【０００５】
このような事情により、被検体の年齢を考慮して被曝評価をするのに適した指標値を求めることが望まれている。
【課題を解決するための手段】
【０００６】
本発明の第１の観点は、ＣＴＤＩ値を被検体の年齢に応じた値に変換することにより得られる第１の指標値を求める手段を有する放射線断層撮影装置である。
【０００７】
本発明の第２の観点は、ＤＬＰ値を被検体の年齢に応じた値に変換することにより得られる第２の指標値を求める手段を有する放射線断層撮影装置である。
【０００８】
本発明の第３の観点は、ＣＴＤＩ値を被検体の年齢と前記被検体の撮影部位とに応じた値に変換することにより得られる第３の指標値を求める手段を有する放射線断層撮影装置である。
【０００９】
本発明の第４の観点は、ＤＬＰ値を被検体の年齢と前記被検体の撮影部位とに応じた値に変換することにより得られる第４の指標値を求める手段を有する放射線断層撮影装置である。
【００１０】
本発明の第５の観点は、コンピュータを、第１〜第４の観点のうちのいずれかの一観点に記載の放射線断層撮影装置の各手段として実行させるためのプログラムである。
【発明の効果】
【００１１】
被検体の年齢が考慮された指標値、又は被検体の年齢と撮影部位とが考慮された指標値を得ることができる。
【図面の簡単な説明】
【００１２】
【図１】第１の形態に係るＸ線ＣＴ装置１のハードウェアの構成を概略的に示す図である。
【図２】第１の形態に係るＸ線ＣＴ装置の操作コンソール６の主な機能ブロック図である。
【図３】第１の指標値特定部７１が有するテーブルＴ１の説明図である。
【図４】第２の指標値特定部７２が有する第２のテーブルＴ２の説明図である。
【図５】第１の形態におけるフローチャートである。
【図６】第１の指標値ＣＴＤＩageおよび第２の指標値ＤＬＰageの表示例を示す図である。
【図７】第２の形態における機能ブロックの説明図である。
【図８】第３の指標値特定部７１１が有する第３のテーブルＴ３の説明図である。
【図９】第４の指標値特定部７２１が有する第４のテーブルＴ４の説明図である。
【図１０】第２の形態におけるフローチャートである。
【図１１】第３の形態における機能ブロックの説明図である。
【図１２】第３の形態におけるフローチャートである。
【図１３】第４の形態における機能ブロックの説明図である。
【図１４】実効線量計算部７２３が有する係数テーブルの説明図である。
【図１５】第４の形態におけるフローチャートである。
【図１６】第３の指標値ＣＴＤＩage，portion、第４の指標値ＤＬＰage，portion、および実効線量Ｅの表示例を示す図である。
【図１７】過去に行われたスキャンに対する撮影部位の実効線量の累積値の表示例を示す図である。
【発明を実施するための形態】
【００１３】
以下、発明を実施するための形態について説明するが、本発明は、以下の形態に限定されることはない。
【００１４】
（第１の形態）
図１は、第１の形態に係るＸ線ＣＴ装置１のハードウェアの構成を概略的に示す図である。
図１に示すように、ガントリ２は、Ｘ線管２１、アパーチャ（aperture）２２、コリメータ装置（collimator device）２３、Ｘ線検出器２４、データ収集部（data acquisition system）２５、回転部２６、高電圧電源２７、アパーチャ駆動装置２８、回転駆動装置２９、制御部３０を有している。
【００１５】
回転部２６は回転可能に支持されている。Ｘ線管２１、アパーチャ２２、コリメータ装置２３、Ｘ線検出器２４、およびデータ収集部２５は、回転部２６に搭載されている。
【００１６】
Ｘ線管２１及びＸ線検出器２４は、被検体５が載置される撮影空間、すなわちガントリ２の空洞部２Ｂを挟んで互いに対向して配置されている。
【００１７】
アパーチャ２２は、Ｘ線管２１と空洞部２Ｂとの間に配置されている。アパーチャ２２は、Ｘ線管２１のＸ線焦点からＸ線検出器２４に向けて放射されるＸ線をファンビーム（fan beam）やコーンビーム（cone beam）に成形する。
【００１８】
コリメータ装置２３は、空洞部２ＢとＸ線検出器２４との間に配置されている。コリメータ装置２３は、Ｘ線検出器２４に入射する散乱線を除去する。
【００１９】
Ｘ線検出器２４は、Ｘ線管２１から放射される扇状のＸ線ビームの広がり方向および厚み方向に、２次元的に配列された複数のＸ線検出素子を有している。各Ｘ線検出素子は、空洞部２Ｂに配された被検体５の透過Ｘ線をそれぞれ検出し、その強度に応じた電気信号を出力する。
【００２０】
データ収集部２５は、Ｘ線検出器２４の各Ｘ線検出素子から出力される電気信号を受信し、Ｘ線データに変換して収集する。
【００２１】
撮影テーブル４は、クレードル（cradle）４１および駆動装置４２を有している。被検体５は、クレードル４１の上に載置される。駆動装置４２は、クレードル４１がｙ方向に昇降するようにクレードル４１を駆動し、更に、クレードル４１がｚ方向に移動するように、クレードル４１を駆動する。
【００２２】
高電圧電源２７は、Ｘ線管２１に高電圧及び電流を供給する。
アパーチャ駆動装置２８はアパーチャ２２を駆動しその開口を変形させる。
回転駆動装置２９は回転部２６を回転駆動する。
制御部３０は、ガントリ２内の各装置・各部、および駆動装置４２等を制御する。
【００２３】
操作コンソール６は、操作者からの各種操作を受け付ける。操作コンソール６は、入力装置６１、表示装置６２、記憶装置６３、及び演算処理装置６４を有している。本例では、操作コンソール６は、コンピュータ（computer）により構成されている。
【００２４】
なお、ここでは、図１に示すように、被検体５の体軸方向、すなわち撮影テーブル４による被検体５の搬送方向をｚ方向とする。また、鉛直方向をｙ方向、ｙ方向およびｚ方向に直交する水平方向をｘ方向とする。
【００２５】
図２は、第１の形態に係るＸ線ＣＴ装置の操作コンソール６の主な機能ブロック図（block diagram）である。
第１の形態において、操作コンソール６は、機能ブロックとして、年齢特定部７０、第１の指標値特定部７１、第２の指標値特定部７２、表示制御部７３などを有している。
【００２６】
年齢特定部７０は被検体の年齢を特定する。
第１の指標値特定部７１は、ＣＴＤＩ値を被検体の年齢に応じた値に変換することにより得られる第１の指標値を特定する。第１の指標値特定部７１は、被検体の年齢に対応する第１の指標値を特定するための第１のテーブルＴ１を有している（図３参照）。
【００２７】
図３は、第１の指標値特定部７１が有するテーブルＴ１の説明図である。
第１のテーブルＴ１は、ＣＴＤＩ値を年齢に応じた値に変換することにより得られる第１の指標値を表すテーブルである。第１の指標値は、年齢に応じた値に変換された後のＣＴＤＩ値を表している。以下では、ＣＴＤＩ値と第１の指標値（年齢に応じた値に変換された後のＣＴＤＩ値）との区別を明確にするために、第１の指標値を「ＣＴＤＩage」で表すことにする。第１のテーブルＴ１は、年齢を表す項目を含んでおり、年齢は、「０歳」、「１歳」、「２歳〜５歳」、「６歳〜１０歳」、「１１歳〜２０歳」、「２１歳〜６０歳」、「６１歳〜８０歳」、「８１歳以上」に区分けされている。第１のテーブルＴ１には、区分けされた年齢ごとに、第１の指標値ＣＴＤＩageが対応付けられている。ここでは、第１の指標値ＣＴＤＩageが区分けされた年齢ごとに規定されていることを明確にするために、ＣＴＤＩageの添え字「ａｇｅ」は、区分けされた年齢に応じて、ａｇｅ＝０、１、２−５、６−１０、１１−２０、２１−６０、６１−８０、８１が割り当てられている。したがって、第１のテーブルＴ１は、年齢に対応する第１の指標値ＣＴＤＩageを表している。
【００２８】
尚、第１の指標値ＣＴＤＩageは、例えば、以下の式に従って求めることができる。
ＣＴＤＩage＝ＣＴＤＩ×Ｃ１age  ・・・（１）
ここで、ＣＴＤＩはＣＴＤＩ値を表しており、Ｃ１ageは年齢に応じた係数を表している。Ｃ１ageの値は、例えばＸ線の特性と年齢との相関関係などを考慮して、予め決定された値である。
【００２９】
次に、第２の指標値特定部７２について説明する。
第２の指標値特定部７２は、ＤＬＰ値を被検体の年齢に応じた値に変換することにより得られる第２の指標値を特定する。第２の指標値特定部７２は、被検体の年齢に対応する第２の指標値を特定するための第２のテーブルＴ２を有している（図４参照）。
【００３０】
図４は、第２の指標値特定部７２が有する第２のテーブルＴ２の説明図である。
第２のテーブルＴ２は、ＤＬＰ値を年齢に応じた値に変換することにより得られる第２の指標値を表すテーブルである。第２の指標値は、年齢に応じた値に変換された後のＤＬＰ値を表している。以下では、ＤＬＰ値と第２の指標値（年齢に応じた値に変換された後のＤＬＰ値）との区別を明確にするために、第２の指標値を「ＤＬＰage」で表すことにする。第２のテーブルＴ２は、第１のテーブルＴ１（図３参照）と同様に、年齢が、「０歳」、「１歳」、「２歳〜５歳」、「６歳〜１０歳」、「１１歳〜２０歳」、「２１歳〜６０歳」、「６１歳〜８０歳」、「８１歳以上」に区分けされている。第２のテーブルＴ２には、区分けされた年齢ごとに、第２の指標値ＤＬＰageが対応付けられている。ここでは、第２の指標値ＤＬＰageが区分けされた年齢ごとに規定されていることを明確にするために、ＤＬＰageの添え字「ａｇｅ」は、区分けされた年齢に応じて、ａｇｅ＝０、１、２−５、６−１０、１１−２０、２１−６０、６１−８０、８１が割り当てられている。したがって、第２のテーブルＴ２は、年齢に対応する第２の指標値ＤＬＰageを表している。
【００３１】
尚、第２の指標値ＤＬＰageは、例えば、以下の式に従って求めることができる。
ＤＬＰage＝ＤＬＰ×Ｃ２age  ・・・（２）
ここで、ＤＬＰはＤＬＰ値を表しており、Ｃ２ageは年齢に応じた係数を表している。Ｃ２ageの値は、例えばＸ線の特性と年齢との相関関係などを考慮して、予め決定された値である。
【００３２】
このように、第１の指標値特定部７１は、第１の指標値ＣＴＤＩageを表す第１のテーブルＴ１（図３参照）を有し、第２の指標値特定部７２は、第２の指標値ＤＬＰageを表す第２のテーブルＴ２（図４参照）を有している。
【００３３】
表示制御部７３は、必要に応じて種々の画像や情報を画面に表示するよう、表示装置６を制御する。本例では、表示制御部７３は、表示画面６に、第１の指標値ＣＴＤＩageおよび第２の指標値ＤＬＰageを表示させる。
【００３４】
尚、年齢特定部７０は、本発明における年齢特定手段の一例である。第１の指標値特定部７１は、本発明における第１の指標値を求める手段の一例である。第２の指標値特定部７２は、本発明における第２の指標値を求める手段の一例である。
【００３５】
操作コンソール６は、演算処理装置６４が所定のプログラム（program）を実行することにより各機能ブロックとして機能する。所定のプログラムは、記憶装置６３に記憶されている。
【００３６】
尚、プログラムは、操作コンソール６に外部接続された記憶装置又は記憶媒体９０（図１参照）に記憶されていてもよく、記憶装置６３と記憶装置又は記憶媒体９０とに振り分けて記憶されていてもよい。図２に示す機能の詳細は、Ｘ線ＣＴ装置における処理の流れを説明する際に併せて説明する。
【００３７】
以下に、第１の形態によるＸ線ＣＴ装置において、第１の指標値ＣＴＤＩageおよび第２の指標値ＤＬＰageを特定し、表示するための処理動作について、図５のフローチャートを参照しながら説明する。
【００３８】
ステップ（step）Ｓ１０では、操作者が、入力装置６１を操作し、被検体情報を入力する。被検体情報には、例えば、被検体の年齢を表す年齢情報、被検体の性別を表す性別情報などが含まれている。ここでは、操作者の年齢に関しては、３歳であることを表す年齢情報が入力されたとする。また、操作者は、予め取得された被検体のスカウト（scout）像を参照しながらスキャン条件を入力する。スキャン条件には、撮影部位、スキャン範囲、Ｘ線管の管電圧、管電流、スキャンモードなどが含まれる。
【００３９】
ステップＳ２０は、年齢特定部７０が被検体の年齢を特定する。年齢特定部７０は、ステップＳ１０で入力された年齢情報から、被検体の年齢は３歳であると特定する。尚、ステップＳ１０において、年齢情報として、年齢の代わりに、生年月日が入力されてもよい。年齢の代わりに生年月日が入力された場合、年齢特定部７０は、入力された生年月日から被検体の年齢を計算する。したがって、生年月日が入力されても、被検体の年齢を特定することができる。尚、ステップＳ１０において操作者が年齢情報を入力する代わりに、被検体の情報から被検体の年齢情報を自動的に抽出し、抽出された年齢情報から被検体の年齢を特定してもよい。
【００４０】
ステップＳ３０では、第１の指標値特定部７１が、第１のテーブルＴ１（図３参照）を参照して、被検体の年齢に対応する第１の指標値ＣＴＤＩageを特定する。また、第２の指標値特定部７２は、第２のテーブルＴ２（図４参照）を参照して、被検体の年齢に対応する第２の指標値ＤＬＰageを特定する。ここでは、被検体の年齢は３歳であるので、第１の指標値特定部７１は、第１のテーブルＴ１から被検体の年齢に対応する第１の指標値ＣＴＤＩ２−５を特定し、第２の指標値特定部７２は、第２のテーブルＴ２から被検体の年齢に対応する第２の指標値ＤＬＰ２−５を特定する。
【００４１】
ステップＳ４０では、表示制御部７３が、ステップＳ３０で特定された第１の指標値ＣＴＤＩageおよび第２の指標値ＤＬＰageを表示装置６２の画面に表示させる。図６に、第１の指標値ＣＴＤＩageおよび第２の指標値ＤＬＰageの表示例を示す。第１の指標値ＣＴＤＩageおよび第２の指標値ＤＬＰageが表示されたら、フローが終了する。
【００４２】
第１の形態では、第１の指標値特定部７１は、年齢と第１の指標値ＣＴＤＩageとの対応関係を表す第１のテーブルＴ１を有しており、第２の指標値特定部７２は、年齢と第２の指標値ＤＬＰageとの対応関係を表す第２のテーブルＴ２を有している。第１の指標値特定部７１は、第１のテーブルＴ１から、被検体の年齢に対応する第１の指標値ＣＴＤＩageを特定し、一方、第２の指標値特定部７２は、第２のテーブルＴ２から、被検体の年齢に対応する第２の指標値ＤＬＰageを特定する。したがって、被検体の年齢を考慮して被曝線量の度合いを評価するのに適した第１の指標値ＣＴＤＩageおよび第２の指標値ＤＬＰageを特定することができる。
【００４３】
また、特定された第１の指標値ＣＴＤＩageおよび第２の指標値ＤＬＰageは表示装置６２に表示される（図６参照）。したがって、被検体のスキャンを開始する前に、操作者に、第１の指標値ＣＴＤＩageおよび第２の指標値ＤＬＰageを報知することができる。
【００４４】
尚、第１の形態では、第１のテーブルＴ１から、被検体の年齢に対応する第１の指標値ＣＴＤＩageを特定している。しかし、第１のテーブルＴ１の代わりに、ＣＴＤＩ値から第１の指標値ＣＴＤＩageを計算するための、年齢に応じた係数Ｃ１ageを表すテーブルを用意しておいてもよい。第１のテーブルＴ１の代わりに係数Ｃ１ageのテーブルを用いる場合は、例えば、係数Ｃ１ageのテーブルから、被検体の年齢に対応した係数Ｃ１ageを特定し、上記の式（１）に当該特定された係数Ｃ１ageを代入することにより、第１の指標値ＣＴＤＩageを計算することができる。
【００４５】
また、第１の形態では、第２のテーブルＴ２から、被検体の年齢に対応する第２の指標値ＤＬＰageを特定している。しかし、第２のテーブルＴ２の代わりに、ＤＬＰ値から第２の指標値ＤＬＰageを計算するための、年齢に応じた係数Ｃ２ageを表すテーブルを用意しておいてもよい。第２のテーブルＴ２の代わりに係数Ｃ２ageのテーブルを用いる場合は、例えば、係数Ｃ２ageのテーブルから、被検体の年齢に対応した係数Ｃ２ageを特定し、上記の式（２）に当該特定された係数Ｃ２ageを代入することにより、第２の指標値ＤＬＰageを計算することができる。
【００４６】
（第２の形態）
第２の形態では、年齢の他に撮影部位も考慮してＣＴＤＩ値およびＤＬＰ値を変換することにより得られる指標値について説明する。尚、第２の形態は、第１の形態と比較すると、Ｘ線ＣＴ装置のハードウェア構成は同じであるが、機能ブロックが異なっている。したがって、ハードウェア構成の説明は省略し、機能ブロックについて説明する。
【００４７】
図７は、第２の形態における機能ブロックの説明図である。
第２の形態では、機能ブロックとして、年齢特定部７０、撮影部位特定部７０１、第３の指標値特定部７１１、第４の指標値特定部７２１、表示制御部７３などを有している。
【００４８】
年齢特定部７０は被検体の年齢を特定する。
撮影部位特定部７０１は被検体の撮影部位を特定する。
【００４９】
第３の指標値特定部７１１は、ＣＴＤＩ値を被検体の年齢と撮影部位との組合せに応じた値に変換することにより得られる第３の指標値を特定する。第３の指標値特定部７１１は、被検体の年齢と撮影部位との組合せに対応する第３の指標値を特定するための第３のテーブルＴ３を有している（図８参照）。
【００５０】
図８は、第３の指標値特定部７１１が有する第３のテーブルＴ３の説明図である。
第３のテーブルＴ３は、ＣＴＤＩ値を年齢と撮影部位との組合せに応じた値に変換することにより得られる第３の指標値を表すテーブルである。第３の指標値は、年齢と撮影部位との組合せに応じた値に変換された後のＣＴＤＩ値を表している。以下では、ＣＴＤＩ値と第３の指標値（年齢と撮影部位との組合せに応じた値に変換された後のＣＴＤＩ値）との区別を明確にするために、第３の指標値を「ＣＴＤＩage，portion」で表すことにする。第３のテーブルＴ３では、年齢は、第１の形態と同様に、「０歳」、「１歳」、「２歳〜５歳」、「６歳〜１０歳」、「１１歳〜２０歳」、「２１歳〜６０歳」、「６１歳〜８０歳」、「８１歳以上」に区分けされている。また、第３のテーブルＴ３は、撮影部位を表す項目を含んでおり、ここでは、撮影部位として、頭部、頚部、および胸部を含む例が示されている。第３のテーブルＴ３には、年齢および撮影部位の組合せごとに、第３の指標値ＣＴＤＩage，portionが対応付けられている。ここでは、第３の指標値ＣＴＤＩage，portionが、年齢と撮影部位との組合せごとに規定されていることを明確にするために、ＣＴＤＩage，portionの添え字「ａｇｅ」は、年齢に応じて、ａｇｅ＝０、１、２−５、６−１０、１１−２０、２１−６０、６１−８０、８１が割り当てられており、一方、添え字「ｐｏｒｔｉｏｎ」には、撮影部位（頭部、頚部、および胸部）に応じて、ｐｏｒｔｉｏｎ＝ｈ、ｎ、およびｃが割り当てられている。したがって、第３のテーブルＴ３は、年齢と撮影部位との組合せに対応する第３の指標値ＣＴＤＩage，portionを表している。
【００５１】
尚、第３の指標値ＣＴＤＩage，portionは、例えば、以下の式に従って求めることができる。
ＣＴＤＩage，portion＝ＣＴＤＩ×Ｃ３age，portion  ・・・（３）
ここで、ＣＴＤＩはＣＴＤＩ値を表しており、Ｃ３age，portionは年齢に応じた係数を表している。Ｃ３age，portionの値は、例えばＸ線の特性と年齢と撮影部位との相関関係などを考慮して、予め決定された値である。
【００５２】
次に、第４の指標値特定部７２１について説明する。
第４の指標値特定部７２１は、ＤＬＰ値を被検体の年齢と撮影部位との組合せに応じた値に変換することにより得られる第４の指標値を特定する。第４の指標値特定部７２１は、被検体の年齢と撮影部位との組合せに対応する第４の指標値を特定するための第４のテーブルＴ４を有している（図９参照）。
【００５３】
図９は、第４の指標値特定部７２１が有する第４のテーブルＴ４の説明図である。
第４のテーブルＴ４は、ＤＬＰ値を年齢と撮影部位との組合せに応じた値に変換することにより得られる第４の指標値を表すテーブルである。第４の指標値は、年齢と撮影部位との組合せに応じた値に変換された後のＤＬＰ値を表している。以下では、ＤＬＰ値と第４の指標値（年齢と撮影部位との組合せに応じた値に変換された後のＤＬＰ値）との区別を明確にするために、第４の指標値を「ＤＬＰage，portion」で表すことにする。第４のテーブルＴ４には、年齢および撮影部位の組合せごとに、第４の指標値ＤＬＰage，portionが対応付けられている。ここでは、第４の指標値ＤＬＰage，portionが、年齢と撮影部位との組合せごとに規定されていることを明確にするために、ＤＬＰage，portionの添え字「ａｇｅ」は、年齢に応じて、ａｇｅ＝０、１、２−５、６−１０、１１−２０、２１−６０、６１−８０、８１が割り当てられており、一方、添え字「ｐｏｒｔｉｏｎ」には、撮影部位（頭部、頚部、および胸部）に応じて、ｐｏｒｔｉｏｎ＝ｈ、ｎ、およびｃが割り当てられている。したがって、第４のテーブルＴ４は、年齢と撮影部位との組合せに対応する第４の指標値ＤＬＰage，portionを表している。
【００５４】
尚、第４の指標値ＤＬＰＩage，portionは、例えば、以下の式に従って求めることができる。
ＤＬＰage，portion＝ＤＬＰ×Ｃ４age，portion  ・・・（４）
ここで、ＤＬＰはＤＬＰ値を表しており、Ｃ４age，portionは年齢に応じた係数を表している。Ｃ４age，portionの値は、例えばＸ線の特性と年齢と撮影部位との相関関係などを考慮して、予め決定された値である。
【００５５】
このように、第３の指標値特定部７１１は、第３の指標値ＣＴＤＩage，portionを表す第３のテーブルＴ３（図８参照）を有し、第４の指標値特定部７２１は、第４の指標値ＤＬＰage，portionを表す第４のテーブルＴ４（図９参照）を有している。
【００５６】
表示制御部７３は、第３の指標値ＣＴＤＩage，portionおよび第４の指標値ＤＬＰage，portionを、表示装置６の画面に表示させる。
【００５７】
尚、年齢特定部７０は、本発明における年齢特定手段の一例である。撮影部位特定部７０１は、本発明における撮影部位特定手段の一例である。第３の指標値特定部７１１は、本発明における第３の指標値を求める手段の一例である。第４の指標値特定部７２１は、本発明における第４の指標値を求める手段の一例である。
【００５８】
以下に、第２の形態において、第３の指標値ＣＴＤＩage，portionおよび第４の指標値ＤＬＰage，portionを特定し、表示する処理の流れについて、図１０のフローチャートを参照しながら説明する。
【００５９】
ステップＳ１０では、操作者が、入力装置を操作し、被検体情報（被検体の年齢を表す年齢情報、被検体の性別を表す性別情報など）を入力する。ここでは、操作者の年齢に関しては、３歳であることを表す年齢情報が入力されたとする。また、操作者は、スキャン条件も入力する。
【００６０】
ステップＳ２１は、年齢特定部７０が被検体の年齢を特定する。年齢特定部７０は、ステップＳ１０で入力された年齢情報から、被検体の年齢は３歳であると特定する。また、ステップＳ２１では、撮影部位特定部７０１が被検体の撮影部位を特定する。撮影部位を特定する方法としては、例えば、操作者に撮影部位を表す情報を入力させ、撮影部位特定部７０１が、この入力された情報に基づいて撮影部位を特定してもよいし、撮影部位のスカウト画像を予め取得しておき、撮影部位特定部７０１が、スカウト画像に基づいて撮影部位を特定してもよい。また、撮影部位特定部７０１が、スキャン条件から撮影部位の情報を特定してもよい。ここでは、撮影部位は頭部であるとする。
【００６１】
ステップＳ３０では、第３の指標値特定部７１１が、第３のテーブルＴ３（図８参照）を参照して、被検体の年齢と撮影部位とに対応する第３の指標値ＣＴＤＩage，portionを特定する。また、第４の指標値特定部７２１は、第４のテーブルＴ４（図９参照）を参照して、被検体の年齢と撮影部位とに対応する第４の指標値ＤＬＰage，portionを特定する。ここでは、被検体の年齢は３歳であり、撮影部位は頭部であるので、第３の指標値特定部７１１は、第３のテーブルＴ３から被検体の年齢と撮影部位との組合せに対応するＣＴＤＩ２−５，ｈを特定し、第４の指標値特定部７２１は、第４のテーブルＴ４から被検体の年齢および撮影部位との組合せに対応するＤＬＰ２−５，ｈを特定する。
【００６２】
ステップＳ４０では、表示制御部７３が、ステップＳ３０で特定された第３の指標値ＣＴＤＩage，portionおよび第４の指標値ＤＬＰage，portionを表示装置６２の画面に表示させる。第３の指標値ＣＴＤＩage，portionおよび第４の指標値ＤＬＰage，portionが表示されたら、フローが終了する。
【００６３】
第２の形態では、第３の指標値特定部７１１は、年齢と撮影部位と第３の指標値ＣＴＤＩage，portionとの対応関係を表す第３のテーブルＴ３（図８参照）を有しており、第４の指標値特定部７２１は、年齢と撮影部位と第４の指標値ＤＬＰage，portionとの対応関係を表す第４のテーブルＴ４（図９参照）を有している。したがって、被検体の年齢だけでなく撮影部位も考慮して被曝線量の度合いを評価するのに適した第３の指標値ＣＴＤＩage，portionおよび第４の指標値ＤＬＰage，portionを特定することができる。そして、特定された第３の指標値ＣＴＤＩage，portionおよび第４の指標値ＤＬＰage，portionは、表示装置６に表示される。したがって、被検体のスキャンを開始する前に、操作者に、第３の指標値ＣＴＤＩage，portionおよび第４の指標値ＤＬＰage，portionを報知することができる。
【００６４】
尚、第２の形態では、第３のテーブルＴ３から、被検体の年齢と撮影部位とに対応する第３の指標値ＣＴＤＩage，portionを特定している。しかし、第３のテーブルＴ３の代わりに、ＣＴＤＩ値から第３の指標値ＣＴＤＩage，portionを計算するための、年齢と撮影部位との組合せに応じた係数Ｃ３age，portionを表すテーブルを用意しておいてもよい。第３のテーブルＴ３の代わりに係数Ｃ３age，portionのテーブルを用いる場合は、例えば、係数Ｃ３age，portionのテーブルから、被検体の年齢と撮影部位との組合せに対応した係数Ｃ３age，portionを特定し、上記の式（３）に当該特定された係数Ｃ３age，portionを代入することにより、第３の指標値ＣＴＤＩage，portionを計算することができる。
【００６５】
また、第３の形態では、第４のテーブルＴ４から、被検体の年齢と撮影部位とに対応する第４の指標値ＤＬＰage，portionを特定している。しかし、第４のテーブルＴ４の代わりに、ＤＬＰ値から第４の指標値ＤＬＰage，portionを計算するための、年齢と撮影部位との組合せに応じた係数Ｃ４age，portionを表すテーブルを用意しておいてもよい。第４のテーブルＴ４の代わりに係数Ｃ４age，portionのテーブルを用いる場合は、例えば、係数Ｃ４age，portionのテーブルから、被検体の年齢と撮影部位との組合せに対応した係数Ｃ４age，portionを特定し、上記の式（４）に当該特定された係数Ｃ４age，portionを代入することにより、第４の指標値ＤＬＰage，portionを計算することができる。
【００６６】
（第３の形態）
第２の形態では、第４のテーブルＴ４（図９参照）を用いて第４の指標値ＤＬＰage，portionを特定する例について説明したが、第３の形態では、第４のテーブルを用いずに、第３の指標値ＣＴＤＩage，portionに基づいて第４の指標値ＤＬＰage，portionを計算する例について説明する。尚、第３の形態は、第１および第２の形態と比較すると、Ｘ線ＣＴ装置のハードウェア構成は同じであるが、機能ブロックが異なっている。したがって、ハードウェア構成の説明は省略し、機能ブロックについて説明する。
【００６７】
図１１は、第３の形態における機能ブロックの説明図である。
第３の形態では、機能ブロックとして、年齢特定部７０、撮影部位特定部７０１、第３の指標値特定部７１１、指標値計算部７２２、表示制御部７３などを有している。
【００６８】
年齢特定部７０は被検体の年齢を特定する。
撮影部位特定部７０１は被検体の撮影部位を特定する。
【００６９】
第３の指標値特定部７１１は、第２の形態と同様に、第３のテーブルＴ３（図８参照）を用いて、被検体の年齢と撮影部位との組合せに応じた第３の指標値ＣＴＤＩage，portionを特定する。
指標値計算部７２１は、後述する式を用いて第４の指標値ＤＬＰage，portionを計算する。
【００７０】
表示制御部７３は、第３の指標値ＣＴＤＩage，portionおよび第４の指標値ＤＬＰage，portionを、表示装置６の画面に表示させる。
【００７１】
尚、年齢特定部７０は、本発明における年齢特定手段の一例である。撮影部位特定部７０１は、本発明における撮影部位特定手段の一例である。第３の指標値特定部７１１は、本発明における第３の指標値を求める手段の一例である。指標値計算部７２２は、本発明における第４の指標値を求める手段の一例である。
【００７２】
以下に、第３の指標値ＣＴＤＩage，portionに基づいて第４の指標値ＤＬＰage，portionを計算し、第３の指標値ＣＴＤＩage，portionおよび第４の指標値ＤＬＰage，portionを表示する処理の流れについて、図１２のフローチャートを参照しながら説明する。
【００７３】
ステップＳ１０およびステップＳ２１は、第２の形態と同じであるので、詳細な説明は省略する。ステップＳ２１において、年齢特定部７０が被検体の年齢を特定し、撮影部位特定部７０１が被検体の撮影部位を特定したら、ステップＳ３１に進む。
【００７４】
ステップＳ３１では、第３の指標値特定部７１１が、第３のテーブルＴ３（図８参照）を参照して、被検体の年齢と撮影部位とに対応する第３の指標値ＣＴＤＩage，portionを特定する。ここでは、被検体の年齢は３歳であり、撮影部位は頭部であるので、第３の指標値特定部７１１は、第３のテーブルＴ３から被検体の年齢と撮影部位との組合せに応じたＣＴＤＩ２−５，ｈを特定する。
【００７５】
ステップＳ３２では、指標値計算部７２２が第４の指標値ＤＬＰage，portionを計算する。第４の指標値ＤＬＰage，portionは、例えば、以下の式で計算することができる。
ＤＬＰage，portion＝ＣＴＤＩage，portion×Ｌ  ・・・（５）
ここで、Ｌは、撮影部位のＺ方向(体軸方向)における長さである。
【００７６】
第３の指標値ＣＴＤＩage，portionは、ステップＳ３１でＣＴＤＩage，portion＝ＣＴＤＩ２−５，ｈと特定されているので、Ｌがわかれば、第４の指標値ＤＬＰage，portionを計算することができる。撮影部位のＺ方向における長さＬは、例えば、スカウト画像を用いて求めることができる。具体的には、ステップＳ３２の前に頭部を含むスカウト画像を予め取得しておき、スカウト画像に対して通常のセグメンテーション法を適用して頭部を抽出し、抽出した頭部のＺ方向における長さを求めることにより、撮影部位のＺ方向における長さＬを求めることができる。ここでは、求められたＬを、Ｌ＝Ｌ３，ｈで表すことにする。
【００７７】
指標値計算部７２２は、式（５）の右辺のＣＴＤＩage，portionに、ステップＳ３１で特定した第３の指標値ＣＴＤＩage，portion（＝ＣＴＤＩ２−５，ｈ）を代入するとともに、式（５）の右辺のＬに、求めた頭部の長さＬ＝Ｌ３，ｈを代入する。したがって、第４の指標値ＤＬＰage，portionを計算することができる。
【００７８】
ステップＳ４０では、表示制御部７３が、ステップＳ３１で特定された第３の指標値ＣＴＤＩage，portion、およびステップＳ３２で計算された第４の指標値ＤＬＰage，portionを表示装置６２の画面に表示させる。第３の指標値ＣＴＤＩage，portionおよび第４の指標値ＤＬＰage，portionが表示されたら、フローが終了する。
【００７９】
第３の形態では、式（５）を用いて第４の指標値ＤＬＰage，portionを計算する。したがって、第４の指標値ＤＬＰage，portionを表す第４のテーブルＴ４を用意しておかなくても、第４の指標値ＤＬＰage，portionを求めることができる。
【００８０】
（第４の形態）
第４の形態では、実効線量を算出する例について説明する。尚、第４の形態は、第１〜第３の形態と比較すると、Ｘ線ＣＴ装置のハードウェア構成は同じであるが、機能ブロックが異なっている。したがって、ハードウェア構成の説明は省略し、機能ブロックについて説明する。
【００８１】
図１３は、第４の形態における機能ブロックの説明図である。
第４の形態では、機能ブロックとして、年齢特定部７０、撮影部位特定部７０１、第３の指標値特定部７１１、指標値計算部７２２、実効線量計算部７２３、表示制御部７３などを有している。尚、年齢特定部７０、撮影部位特定部７０１、第３の指標値特定部７１１、指標値計算部７２２は、第３の形態と同じである。したがって、年齢特定部７０、撮影部位特定部７０１、第３の指標値特定部７１１、指標値計算部７２２の説明は省略し、実効線量計算部７２３および表示制御部７３について説明する。
【００８２】
実効線量計算部７２３は、以下の式を用いて実効線量Ｅを計算する。
Ｅ＝ＤＬＰage，portion×ＥＣage，portion  ・・・（６）
【００８３】
式（６）の右辺の第４の指標値ＤＬＰage，portionは、指標値計算部７２２により計算される値である。また、式（６）の右辺のＥＣage，portionは、実効線量変換係数である。実効線量計算部７２３は、実効線量変換係数ＥＣage，portionを表す係数テーブルを有している（図１４参照）。
【００８４】
図１４は、実効線量計算部７２３が有する係数テーブルの説明図である。
係数テーブルＴ５は、被検体の年齢と撮影部位との組合せごとに決められている実効線量変換係数ＥＣage，portionを表している。係数テーブルＴ５では、第３のテーブルＴ３（図８参照）と同様に、年齢は「０歳」、「１歳」、「２歳〜５歳」、「６歳〜１０歳」、「１１歳〜２０歳」、「２１歳〜６０歳」、「６１歳〜８０歳」、「８１歳以上」に区分けされており、撮影部位として、頭部、頚部、および胸部を含む例が示されている。ここでは、実効線量変換係数ＥＣage，portionが、年齢と撮影部位との組合せごとに規定されていることを明確にするために、ＥＣage，portionの添え字「ａｇｅ」は、年齢に応じて、ａｇｅ＝０、１、２−５、６−１０、１１−２０、２１−６０、６１−８０、８１が割り当てられており、一方、添え字「ｐｏｒｔｉｏｎ」には、撮影部位（頭部、頚部、および胸部）に応じて、ｐｏｒｔｉｏｎ＝ｈ、ｎ、およびｃが割り当てられている。
【００８５】
このように、実効線量計算部７２３は、実効線量Ｅを計算するために必要な実効線量変換係数ＥＣage，portionを表す係数テーブルＴ５を有しており、係数テーブルＴ５を用いて実効線量Ｅを計算する。
【００８６】
表示制御部７３は、第３の指標値ＣＴＤＩage，portionおよび第４の指標値ＤＬＰage，portionに加えて、実効線量Ｅを、表示装置６の画面に表示させる。
【００８７】
尚、年齢特定部７０は、本発明における年齢特定手段の一例である。撮影部位特定部７０１は、本発明における撮影部位特定手段の一例である。第３の指標値特定部７１１は、本発明における第３の指標値を求める手段の一例である。指標値計算部７２２は、本発明における第４の指標値を求める手段の一例である。実効線量計算部７２３は、本発明における実効線量計算手段の一例である。
【００８８】
以下に、第４の指標値ＤＬＰage，portionおよび実効線量Ｅを計算し、第３の指標値ＣＴＤＩage，portion、第４の指標値ＤＬＰage，portion、および実効線量Ｅを表示する処理の流れについて、図１５のフローチャートを参照しながら説明する。
【００８９】
ステップＳ１０、Ｓ２１、Ｓ３１、およびＳ３２は、第３の形態におけるステップＳ１０、Ｓ２１、Ｓ３１、およびＳ３２と同じであるので、説明は省略する。ステップＳ３２において第４の指標値ＤＬＰage，portionを計算した後、ステップＳ３３に進む。
【００９０】
ステップＳ３３では、実効線量計算部７２３が、先に説明した式（６）を用いて実効線量Ｅを計算する。
【００９１】
実効線量計算部７２３は、係数テーブルＴ５（図１４参照）から、被検体の年齢と撮影部位の組合せに対応する実効線量変換係数ＥＣage，portionを特定する。ここでは、被検体の年齢は３歳であり、撮影部位は頭部であるので、実効線量変換係数ＥＣage，portionとして、ＥＣage，portion＝ＥＣ２−５，ｈが特定される。ＥＣage，portion＝ＥＣ２−５，ｈが特定された後、実効線量計算部７２３は、式（６）の右辺のＤＬＰage，portionに、ステップＳ３２で計算したＤＬＰ２−５，ｈを代入するとともに、式（６）の右辺のＥＣage，portionに、ＥＣ２−５，ｈを代入する。したがって、実効線量Ｅ＝Ｅ２−５，ｎを計算することができる。
【００９２】
ステップＳ４０では、表示制御部７３が、第３の指標値ＣＴＤＩage，portion、第４の指標値ＤＬＰage，portion、および実効線量Ｅを表示装置６２の画面に表示させる（図１６参照）。第３の指標値ＣＴＤＩage，portion、第４の指標値ＤＬＰage，portion、および実効線量Ｅが表示されたら、フローが終了する。
【００９３】
第４の形態では、年齢と撮影部位との組合せに対応する第４の指標値ＤＬＰage，portionに実効線量変換係数ＥＣage，portionを乗算することにより実効線量Ｅが計算される。したがって、年齢と撮影部位とが考慮された実効線量Ｅを計算し、表示することができる。
【００９４】
尚、第４の形態では、ステップＳ３２において計算された第４の指標値ＤＬＰage，portionに実効線量変換係数ＥＣage，portionを乗算し、実効線量Ｅを計算する例について説明されている。しかし、第４のテーブルＴ４（図９参照）から特定された第４の指標値ＤＬＰage，portionに実効線量変換係数ＥＣage，portionを乗算し、実効線量Ｅを計算してもよい。
【００９５】
また、第４の形態では、第４の指標値ＤＬＰage，portionに実効線量変換係数ＥＣage，portionを乗算し、実効線量Ｅを計算する例について説明されている。しかし、第２のテーブルＴ２の第２の指標値ＤＬＰage（図４参照）に、第２の指標値ＤＬＰage用に設定された実効線量変換係数ＥＣageを乗算し、実効線量Ｅを計算することも可能である。
【００９６】
尚、第４の形態では、表示装置６２には、これから行われるスキャンに対する撮影部位の実効線量が表示される。しかし、これから行われるスキャンに対する撮影部位の実効線量だけでなく、過去に行われたスキャンに対する撮影部位の実効線量の累積値が表示されるようにしてもよい（図１７参照）。
【００９７】
図１７は、過去に行われたスキャンに対する撮影部位の実効線量の累積値の表示例を示す図である。
表示装置６２には、被検体の全身を表す画像ＩＳが表示されている。そして、画像ＩＳの隣には、これから行われるスキャンに対する撮影部位の実効線量だけでなく、過去に行われたスキャンに対する撮影部位の実効線量の累積値が表示されている。ここでは、過去に行われたスキャンに対する撮影部位の実効線量の累積値として、過去１年以内の間に行われたスキャンに対する各撮影部位の実効線量の累積値と、過去３年以内の間に行われたスキャンに対する撮影部位の実効線量の累積値が表示されている。
【００９８】
このように、過去のスキャンに対する実効線量の累積値を表示することにより、被検体に対して、より適切な被曝評価をすることができる。尚、実効線量の累積値の代わりに、複数年分の実効線量から１年当たりの実効線量の平均値を求め、当該平均値を表示するようにしてもよい。
【００９９】
尚、本発明は上記の形態に限定されず、発明の趣旨を逸脱しない範囲において種々の変更が可能である。例えば、第１〜第４の形態では、テーブルＴ１〜Ｔ５の年齢は、「０歳」、「１歳」、「２歳〜５歳」、「６歳〜１０歳」、「１１歳〜２０歳」、「２１歳〜６０歳」、「６１歳〜８０歳」、「８１歳以上」に区分けされている。しかし、年齢の区分けは、上記の区分けに限定されることはなく、更に細かく区分けしてもよいし、反対に、もう少し粗く区分けしてもよい。
【符号の説明】
【０１００】
１  Ｘ線ＣＴ装置
２  ガントリ
２Ｂ  空洞部
４  撮影テーブル
５  被検体５
６  操作コンソール
２１  Ｘ線管２１
２２  アパーチャ
２３  コリメータ装置
２４  Ｘ線Ｘ線検出器２４
２５  データ収集部
２６  回転部
２７  高電圧電源
２８  アパーチャ駆動装置
２９  回転駆動装置
３０  制御部
４１  クレードル４１
４２  駆動装置
６１  入力装置
６２  表示装置
６３  記憶装置
６４  演算処理装置
７０  年齢特定部
７１  第１の指標値特定部
７２  第２の指標値特定部
７３  表示制御部
９０  記憶媒体
７０１  撮影部位特定部
７１１  第３の指標値特定部
７２１  第４の指標値特定部
７２２  指標値計算部
７２３  実効線量計算部
【図１】
2019010176.tif 000003
【図２】
2019010176.tif 000004
【図３】
2019010176.tif 000005
【図４】
2019010176.tif 000006
【図５】
2019010176.tif 000007
【図６】
2019010176.tif 000008
【図７】
2019010176.tif 000009
【図８】
2019010176.tif 000010
【図９】
2019010176.tif 000011
【図１０】
2019010176.tif 000012
【図１１】
2019010176.tif 000013
【図１２】
2019010176.tif 000014
【図１３】
2019010176.tif 000015
【図１４】
2019010176.tif 000016
【図１５】
2019010176.tif 000017
【図１６】
2019010176.tif 000018
【図１７】
2019010176.tif 000019